(57)【特許請求の範囲】
【請求項１】
電力供給対象に電力を供給する電源装置において、
インレットと、当該インレット以外の定格種別に依存する部品とが１ユニットで構成された商用電源の供給部を、着脱自在となるように構成された電力供給部と、
前記電力供給部に装着される商用電源の供給部の定格種別を検知する検知手段と、
前記検知手段によって検知された定格種別に応じて前記電力供給対象に対する電力量を制御する制御手段と
を具備することを特徴とする電源装置。
【請求項２】
前記検知手段は、前記インレットを支持する支持部材に設けられたコネクタが電気的に短絡されているか否かで、前記定格種別を検知することを特徴とする請求項１記載の電源装置。
【請求項３】
前記検知手段は、前記インレットの大きさの違いに基づいて、前記定格種別を検知することを特徴とする請求項１記載の電源装置。
【請求項４】
前記検知手段は、電気的に接地されたコネクタの有無によって、前記定格種別を検知することを特徴とする請求項１記載の電源装置。
【請求項５】
前記電力供給部に装着される商用電源の供給部が適合する定格種別を手動で設定する設定手段を備え、
前記制御手段は、前記検知手段による検知結果と前記設定手段の設定結果とが一致するか否かで、前記商用電源の供給部に対する交換作業の合否を判断することを特徴とする請求項１ないし４のいずれかに記載の電源装置。
【発明の詳細な説明】
【０００１】
【発明の属する技術分野】
この発明は、複写機、印刷機、レーザプリンタなどの画像形成装置の発熱源等の電力供給対象への電力を供給する電源装置に関する。
【０００２】
【従来の技術】
複写機、印刷機、レーザプリンタなどの画像形成装置の使用に際しては、大電流が要求されるため、１５Ａ電源もしくは２０Ａ電源を機器設置場所に引き込んでいる。このため、一般には、既に電源が引き込まれている場合には、１５Ａ電源には１５Ａ電源用の画像形成装置を設置し、２０Ａ電源には２０Ａ電源用の画像形成装置を設置していた。
【０００３】
これに対して、既存の画像形成装置を機器設置場所に既に引き込まれている電源で使用する場合、例えば、通常１５Ａ電源で使用する機器を、２０Ａ電源でも使用可能とする場合には、２０Ａ電源用の電気部品をキットとして準備し、交換可能としていた。
【０００４】
また、異なる電源定格に対応するための従来技術としては、例えば実開昭６２−９２５７８号に、画像形成装置等の機器のおける電源プラグアダプタのソケット端子を着脱可能にしておき、機器設置場所に引き込まれている電源に応じて、例えば、１５Ａ電源であるならば、１５Ａ電源用のソケットを取り付け、２０Ａ電源でなるなら、２０Ａ電源用のソケットを取り付けるとともに、電源装置内の変圧器を用いて異なる電源電圧に対応させることが開示されている。
【０００５】
【発明が解決しようとする課題】
しかしながら、従来技術においては、電源プラグアダプタのソケット端子を交換可能したとしても、電源定格が異なれば、当然、ソケット端子以外にも、ブレーカや電源コード等の部品を交換する必要があり、交換に要する時間がかかるとともに、作業ミスも多くなるという問題があった。
【０００６】
また、電源定格が変わるということは、例えば複写機であれば、連続コピー枚数に対する能力が変わるということである。すなわち、１５Ａ電源から２０Ａ電源に変えた場合には、電力供給対象である熱源（定着器）への電力供給量を増加させることができるので、連続コピー枚数も増加させることが可能となる。しかしながら、従来の電源装置では、画像形成装置等の機器に対する電源定格を適合させるだけで、機器への電力供給量を制御することを考慮していない。したがって、例えば連続コピー枚数等の機器の性能に対するユーザの要求を満足させることができないという問題があった。
【０００７】
この発明は上述した事情に鑑みてなされたもので、簡易な構成で、電源定格を自動的に検出することができるとともに、機器の発熱源等の電力供給対象への電力供給量を制御することができる電源装置を提供することを目的としている。
【０００８】
【課題を解決するための手段】
上述した課題を解決するために、請求項１記載の発明では、電力供給対象に電力を供給する電源装置において、インレットと、当該インレット以外の定格種別に依存する部品とが１ユニットで構成された商用電源の供給部を、着脱自在となるように構成された電力供給部と、前記電力供給部に装着される商用電源の供給部の定格種別を検知する検知手段と、前記検知手段によって検知された定格種別に応じて前記電力供給対象に対する電力量を制御する制御手段とを具備することを特徴としている。
【０００９】
この発明によれば、検知手段によって、装着される商用電源の供給部の定格種別を検知し、制御手段によって、検知された定格種別に応じて電力供給対象に対する電力量を制御する。例えば、商用電源の供給部の１つであるインレットを指示する支持部材にコネクタを設け、該コネクタが電気的に短絡されているか否か、あるいはインレットの大きさの違いや、電気的に接地されたコネクタの有無で、定格種別を検知するようにすれば、簡易な構成で、電源定格を自動的に検出することが可能となるとともに、電源定格に応じて機器への電力供給量を制御することが可能となる。
【００１０】
【発明の実施の形態】
次に図面を参照してこの発明の実施形態について説明する。
【００１１】
Ａ．実施形態の基本構成
図１は本発明の実施形態による電源装置の基本構成を示す回路図である。なお、本実施形態では、機器として複写機を想定している。図において、電源装置は、電力供給部１、スイッチング素子２および制御部４から構成されている。電源供給部１は、１５Ａ電源もしくは２０Ａ電源等から定着器３のランプ３ａに電力を供給する。該電源供給部１は、商用電源の供給部（インレット、ブレーカ、ケーブル等の電源定格に依存する部品）の定格種別（例えば１５Ａ電源であるか、２０Ａ電源であるか）を示す入力電流定格情報ＳＩを、後述する制御部４に供給する。なお、入力電流定格情報ＳＩの詳細については後述する。電力供給部１の電力供給ラインには、スイッチング素子（例えば、ＳＳＲ等）２が介挿されている。該スイッチング素子２は、後述する制御部４からのオン／オフ信号Ｓ１によってオン／オフ制御される。
【００１２】
定着器３は、少なくとも１つ以上のランプ３ａを有しており、上記スイッチング素子２のオン／オフ制御により、上記ランプ３ａを点灯することによって発生する熱により、用紙上に転写されたトナーを固定する。なお、ランプ３ａが複数の場合には、それぞれのランプ３ａ毎に上記スイッチング素子２を介挿し、それぞれのスイッチング素子２を後述する制御部４からのオン／オフ信号Ｓ１によってオン／オフ制御する。言い換えると、ランプ３ａが複数の場合には、オン／オフ信号Ｓ１も複数となる。また、定着器３は、定着器の温度を検出するための温度検出部３ｂを備えている。該温度検出部３ｂは、定着器の温度を検出し、温度情報Ｔとして後述する制御部４に供給する。
【００１３】
制御部４は、ＣＰＵ４ａ、駆動素子（トランジスタ等）４ｂ等から構成されており、電力供給部１からの入力電流定格情報ＳＩおよび定着器３の温度検出部３ｂからの温度情報Ｔに従って、駆動素子４ｂをオン／オフ制御することにより、定着器３のランプ３ａのオン／オフを制御するためのオン／オフ信号Ｓ１を出力する。例えば、１５Ａ電源と２０Ａ電源との切り替えに際しては、▲１▼一度に点灯するランプの本数を増減させる、▲２▼ランプのオン時間（ＯＮ  ＤＵＴＹ）を増減する、等の制御を行う。具体的には、１５Ａ電源から２０Ａ電源へ切り替わった場合には、一度に点灯するランプの本数を増加させる、ランプのオン時間（ＯＮＤＵＴＹ）を増加する、等の制御を行う。この制御によれば、２０Ａ電源使用時には、待機時間が短くなり、連続コピー枚数が増加する。なお、制御の詳細については後述する。
【００１４】
Ｂ．電源定格検知方法および検知部の実施例
Ｂ−１．第１の実施例
次に、図２は、上述した第１の実施例による入力電流定格情報ＳＩの生成方法を説明するための構成を示す正面図および側面図である。通常、１５Ａ電源と２０Ａ電源とでは、商用電源の供給部（インレット、ブレーカ、ケーブル等）の定格が異なるので、商用電源に応じて交換する必要がある。そこで、本第１の実施例では、商用電源の供給部の１つであるインレットを支持する部材にコネクタを設け、該コネクタの電気的状態の違いによって商用電源の定格を検出するようになっている。ここで、図２（ａ）は１５Ａ電源用のインレット１０であり、図２（ｂ）は２０Ａ電源用のインレット１１である。いずれのインレット１０，１１もプレート１０ａ，１１ａにプラグ受け１０ｂ，１１ｂで固定されている。プレート１０ａ，１１ａには、どちらのインレットであるかを識別するためのコネクタ（雌側）１０ｃ，１１ｃが設けられている。１５Ａ電源用のインレット側に設けられているコネクタ１０ｃは開放（オープン）となっており、２０Ａ電源用のインレット側に設けられているコネクタ１１ｃは、電線などで短絡（ショート）となっている。
【００１５】
１５Ａ電源から２０Ａ電源、または２０Ａ電源から１５Ａ電源へと切り替える場合には、プラグサイズ、差し込み口の形状が異なるので、上記インレット１０，１１を取り替えなければならない。電源装置には、制御部４のＣＰＵ４ａ（のプルアップされた入力ポート）に接続されたコネクタ（雄側）１２が固定されており、インレット１０，１１を、図２（ｃ）に示すように、電源装置に固定する際に、インレット１０／１１側のコネクタ（雌側）１０ｃ／１１ｃが上記コネクタ（雄側）１２に嵌合するようになっている。１５Ａ電源用のインレット１０では、コネクタ（雌側）１０ｃがオープンであるので、制御部４のＣＰＵ４ａの入力ポートは「ＨＩＧＨ」となり、一方、２０Ａ電源用のインレット１１では、コネクタ（雌側）１１ｃがショートであるので、制御部４のＣＰＵ４ａの入力ポートは「ＬＯＷ」となる。したがって、制御部４では、電源装置１からの入力電流定格情報ＳＩが「ＨＩＧＨ」であれば１５Ａ電源と判断し、入力電流定格情報ＳＩが「ＬＯＷ」であれば２０Ａ電源と判断すればよい。
【００１６】
なお、上述した第１の実施例では、実際には、インレットの交換以外にも、電源定格に合わせて、図示しないブレーカやケーブル等を交換する必要があることは言うまでもない。
【００１７】
Ｂ−２．第２の実施例
次に、図３は、第２の実施例による電源装置の一部の構成を示す回路図であり、図４は、同第２の実施例による電源装置の一部の構造を示す模式図である。本第２の実施例では、上述したように、商用電源の供給部の１つであるインレットを交換する際に、他の供給部であるブレーカやケーブル等の部品を交換する手間を省くために、１５Ａ電源用と２０Ａ電源用に、それぞれ少なくとも電力供給部１を含む電源装置の一部をユニット化したものである。図３において、１５Ａ電源用のユニットＵ１，２０Ａ電源用のＵ２は、各々、インレット１５、ブレーカ１６、バリスタ１７、ノイズフィルタ１８、リレー１９等から構成されており、該ユニットから熱源装置である定着器３やその他の部分へ電力を供給するようになっている。すなわち、１５Ａ電源用と２０Ａ電源用とで、それぞれの電流容量に応じた部品（インレット１５、ブレーカ１６、バリスタ１７、ノイズフィルタ１８、リレー１９等）で構成された、１５Ａ電源用のユニットＵ１，２０Ａ電源用のユニットＵ２を用意しておき、電源定格の切り替えに応じて対応するユニットに交換するようになっている。
【００１８】
ユニットＵ１，Ｕ２内には、前述した第１の実施例と同様に、制御部４のＣＰＵ４ａの入力ポートに接続されるケーブル２０が設けられており、一方はＣＰＵ４ａの入力ポートからのコネクタ（雄側）１２（図２（ｃ）参照）に嵌合するコネクタ（雌側）２１に接続され、他方はインレット１５が固定されているプレート２２に設けられたショート用コネクタ２３に接続されている。該ショート用コネクタ２３は、通常、開放（オープン）となっており、２０Ａ電源を用いる場合にショート用ハーネス２４を挿入することで、ショート（短絡）するようになっている。
【００１９】
１５Ａ電源から２０Ａ電源、または２０Ａ電源から１５Ａ電源へと切り替える場合には、上述したユニットＵ１，Ｕ２を対応するものに交換し、１５Ａ電源用のユニットＵ１を装着したときには何もせず、２０Ａ電源用のユニットＵ２を装着したときにはショート用コネクタ２３にショート用ハーネス２４を挿入する。
したがって、制御部４では、電力供給部１からの入力電流定格情報ＳＩが「ＨＩＧＨ」であれば１５Ａ電源と判断し、入力電流定格情報ＳＩが「ＬＯＷ」であれば２０Ａ電源と判断すればよい。
【００２０】
なお、上述した第２の実施例では、少なくとも電力供給部１を含む電源装置の一部をユニット化し、電源定格に応じて全体を交換するようになっているので、交換する部分を必要最小限にすることが可能である。
【００２１】
Ｂ−３．第３の実施例
次に、図５は、第３の実施例による電源定格検知方法を説明するための正面図および側面図である。前述したように、１５Ａ電源と２０Ａ電源とでは、商用電源の供給部の１つであるインレットの形状（プラグサイズ、差し込み口の形状）が異なる。図５（ａ）は１５Ａ電源用のインレット１０であり、図５（ｂ）は２０Ａ電源用のインレット１１である。いずれのインレット１０，１１もプレート１０ａ，１１ａにプラグ受け１０ｂ，１１ｂで固定されている。１５Ａ電源用のインレット１０は、２０Ａ電源用のインレット１１に比べて小さい。
【００２２】
一方、電力供給部１には、上記２０Ａ電源用のインレット１１を固定したとき、図５（ｃ）に示すように、１５Ａ電源用のインレット１０に対して、はみ出している部分２６が当接する位置に、制御部４のＣＰＵ４ａ（のプルアップされた入力ポート）に接続されたスイッチ２５が設けられている。すなわち、インレット１０，１１を、図５（ｄ）に示すように、電力供給部１に固定すると、１５Ａ電源用のインレット１０の場合には、スイッチ２５はオフであるが、２０Ａ電源用のインレット１１の場合には、スイッチ２５がオンとなる。したがって、制御部４では、電力供給部１からの入力電流定格情報ＳＩが「オフ」であれば１５Ａ電源と判断し、入力電流定格情報ＳＩが「オン」であれば２０Ａ電源と判断すればよい。
【００２３】
なお、上述した第３の実施例では、実際には、インレットの交換以外にも、電源定格に合わせて、図示しないブレーカやケーブル等の商用電源の供給部に依存する部品を交換する必要があることは言うまでもない。また、上述した第３の実施例では、スイッチ２５以外にも、磁気、光学等を利用するセンサを用いてもよい。
【００２４】
Ｂ−４．第４の実施例
次に、図６は、第４の実施例による電源定格検知方法を説明するための回路図である。なお、図１に対応する部分には同一の符号を付けて説明を省略する。本第４の実施例では、前述した第２の実施例と同様に、商用電源の供給部の１つであるインレットの交換の際に、他の供給部であるブレーカやケーブル等の部品を交換する手間を省くために、１５Ａ電源用と２０Ａ電源用に、それぞれ少なくとも電力供給部１を含む電源装置の一部をユニット化したものである。但し、本第４の実施例では、制御部４のＣＰＵ４ａ（のプルアップされた入力ポート）にコネクタ２８を設ける一方、商用電源（１５Ａ電源、２０Ａ電源）の定格に応じて交換される、上記コネクタ２８に接続するコネクタ２９を設けないユニットＵ３と、コネクタ２９を設けたユニットＵ４とを用意し、該コネクタ２６がコネクタ２８に接続されているか否かで電源定格を検知する。すなわち、１５Ａ電源用のユニットＵ３は、上記制御部４側のコネクタ２８に嵌合するコネクタ２９を備えておらず、図６（ａ）に示す回路構成となる。これに対して、２０Ａ電源用のユニットＵ４は、コネクタ２８に嵌合するコネクタ２９を備えており、図６（ｂ）に示す回路構成となる。
【００２５】
ここで、図７は、第４の実施例による２０Ａ電源用のユニットＵ４の回路構成を示す回路図であり、図８は、同第４の実施例による２０Ａ電源用のユニットＵ４の構造を示す模式図である。なお、図３または図４に対応する部分には同一の符号を付けて説明を省略する。コネクタ２９は、ユニットＵ４の制御基板３０上で接地されており、ワイヤハーネス３１によって外部に引き出されている。
【００２６】
１５Ａ電源から２０Ａ電源、または２０Ａ電源から１５Ａ電源へと切り替える場合には、上述したユニットＵ３，Ｕ４を交換し、１５Ａ電源用のユニットＵ３を装着したときには何もせず、２０Ａ電源用のユニットＵ４を装着したときにはコネクタ２９をコネクタ２８に嵌合させる。制御部４は、電力供給部１からの入力電流定格情報ＳＩが「ＨＩＧＨ」であれば１５Ａ電源と判断し、入力電流定格情報ＳＩが「ＬＯＷ」であれば２０Ａ電源と判断する。
【００２７】
なお、上述した第２の実施例では、少なくとも電力供給部１を含む電源装置の一部をユニット化し、電源定格に応じて全体が交換されるようになっているので、交換する部分を必要最小限にすることが可能である。
【００２８】
Ｂ−５．第５の実施例
次に、図９は、電源定格の判断をより確実に行うために、前述した第１ないし第４の実施例で説明した電源定格検知方法およびその構成に確認用の手段を加えた、制御部４の構成を示す回路図である。なお、図１または図６に対応する部分には同一の符号を付けて説明を省略する。図において、スイッチ３５は、ディップスイッチ等からなり、制御部４の基板上に設けられている。スイッチ３５の一端は、ＬＥＤ３６を介して抵抗器Ｒ１でプルアップされ、抵抗器Ｒ１との接続点がＣＰＵ４ａの入力ポートに接続され、他端は接地されている。
【００２９】
上記スイッチ３５は、電源装置における商用電源の供給部（インレット、ブレーカ、ケーブル等）の交換時に、作業者によってオン／オフされるもので、１５Ａ電源用のユニットＵ１，Ｕ３（またはインレット１０）を装着した場合にオフ（「ＨＩＧＨ」）、２０Ａ電源用のユニットＵ２，Ｕ４（またはインレット１１）を装着した場合にオン（「ＬＯＷ」）にセットされる。したがって、ＣＰＵ４ａの入力ポートには、１５Ａ電源用のユニットＵ１，Ｕ３（またはインレット１０）を装着した場合に「ＨＩＧＨ」、２０Ａ電源用のユニットＵ２，Ｕ４（またはインレット１１）を装着した場合に「ＬＯＷ」が入力される。また、２０Ａ電源用のユニットＵ２，Ｕ４（またはインレット１１）が装着された場合には、スイッチ３５がオンにセットされるので、ＬＥＤ３６が点灯するようになっている。
【００３０】
また、ＬＥＤ３７は、電力供給部１、ユニットＵ１〜Ｕ４からの入力電流定格情報ＳＩをプルアップする抵抗器Ｒ２と電源との間に介挿されており、入力電流定格情報ＳＩが「ＬＯＷ」のとき、すなわち２０Ａ電源用のユニットＵ３，Ｕ４（またはインレット１１）が装着されたとき、点灯するようになっている。また、バッファ３８は、ヒステリシス特性を有しており、入力電流定格情報ＳＩのチャタリング等による誤動作を防止する。
【００３１】
１５Ａ電源から２０Ａ電源、または２０Ａ電源から１５Ａ電源へと切り替える場合には、上述したユニットＵ１ないしＵ４（またはインレット）を交換した後、１５Ａ電源用のユニットＵ１またはＵ３を装着したときには、スイッチ３５をオフ（「ＨＩＧＨ」）とし、２０Ａ電源用のユニットＵ２またはＵ４を装着したときには、スイッチ３５をオン（「ＬＯＷ」）とする。１５Ａ電源用のユニットＵ１またはＵ３を装着したときには、スイッチ３５がオフとなるので、ＬＥＤ３６は点灯せず、また、ユニットＵ１またはＵ３からの入力電流定格情報ＳＩが「ＨＩＧＨ」となるので、ＬＥＤ３７も点灯しない。一方、２０Ａ電源用のユニットＵ２またはＵ４を装着したときには、スイッチ３５がオンとなるので、ＬＥＤ３６が点灯し、また、ユニットＵ２またはＵ４からの入力電流定格情報ＳＩが「ＬＯＷ」となるので、ＬＥＤ３７も点灯する。双方が同じ状態であれば、ユニットＵ１ないしＵ４（またはインレット）が正しく装着されたことを示している。したがって、作業者は、ＬＥＤ３６，３７の点灯、非点灯によって、作業が正確に終了したことを確認できる。
【００３２】
一方、制御部４は、電力供給部１、ユニットＵ１〜Ｕ４のいずれかからの入力電流定格情報ＳＩが「ＨＩＧＨ」で、かつスイッチ３５がオフ（「ＨＩＧＨ」）であれば１５Ａ電源と判断し、入力電流定格情報ＳＩが「ＬＯＷ」で、かつスイッチ３５がオン（「ＬＯＷ」）であれば２０Ａ電源と判断する。双方の状態が一致しない場合には、交換ミスや接触不良、断線等の不具合があるとしてエラーを通知し、通常の複写動作に移行しない。
【００３３】
Ｃ．実施形態の動作
次に、本実施形態の動作を図１０、図１１および図１２を参照して説明する。
前述したように、機器の設置場所に引き込まれている電源定格に応じて、機器に装着される商用電源の供給部（インレット、ブレーカ、ケーブル等の電源定格に依存する部品）を交換すると、前述したように、電力供給部１から電源定格を示す入力電流定格情報ＳＩが制御部４のＣＰＵ４ａに供給される。制御部４は、まず、ステップＳ１で、電力供給部１からの入力電流定格情報ＳＩ（またはスイッチ３５のオン／オフ状態）に従って入力電源電流定格を判別する。次に、ステップＳ２で、入力電流定格情報ＳＩが「ＨＩＧＨ」であれば、ステップＳ３へ進み、「ＬＯＷ」であれが、ステップＳ４に進む。ステップＳ３では、入力電流定格情報ＳＩが「ＨＩＧＨ」であるので、１５Ａ電源用の制御Ｃ１を実行し、ステップＳ４では、入力電流定格情報ＳＩが「ＬＯＷ」であるので、２０Ａ電源用の制御Ｃ２を実行する。
【００３４】
具体的には、制御部４は、上記ステップＳ３またはＳ４において、電力供給部１からの入力電流定格情報ＳＩに従って判別した電源種別および定着器３の温度検出部３ｂからの温度情報Ｔに従って、駆動素子４ｂをオン／オフ制御することにより、定着器３のランプ３ａのオン／オフを制御するためのオン／オフ信号Ｓ１を出力する。
【００３５】
ランプ３ａの制御には、前述したように、まず、▲１▼一度に点灯するランプの本数を増減させることが考えられる。すなわち、１５Ａ電源の場合には、図１１（ａ）に示すように、３本のランプ３ａのうち、１本だけを点灯させ、２０Ａ電源の場合には、図１１（ｂ）に示すように、３本のランプ３ａを全て点灯させる。
また、▲２▼ランプのオン時間（ＯＮ  ＤＵＴＹ）を増減することが考えられる。すなわち、１５Ａ電源の場合には、図１２（ａ）に示すように、ランプ３ａのオンデューティを小さくし（５２０〜４５０ｍｓｅｃ）、２０Ａ電源の場合には、図１２（ｂ）に示すように、ランプ３ａのオンデューティを大きくする（ほぼ７５０ｍｓｅｃ）。
【００３６】
ここで、図１３は、１５Ａ電源と２０Ａ電源とにおけるコピーモードの違いを説明するための概念図である。上述した制御によれば、図示するように、２０Ａ電源使用時には、点灯ランプの数が多くなるか、またはオンデューティが大きくなるので、コピー開始までの待機時間が短くなるとともに（Ｔ１＜Ｔ２）、連続コピー枚数が増加する。なお、図において、時間Ｔ１およびコピー枚数「１００」〜「１０００」が２０Ａ電源を用いた場合で、時間Ｔ２およびコピー枚数「１００」〜「５００」が１５Ａ電源を用いた場合である。
【００３７】
Ｄ．実施形態の効果
上述したように、本実施形態によれば、複雑な制御回路や制御シーケンスなしで、電源定格が１５Ａまたは２０Ａのどちらであっても機器を使用することが可能となる。また、１５Ａまたは２０Ａのどちらの商用電源に接続されているかを検知することができるので、電力供給量を自動的に制御することができる。この結果、例えば複写機の場合には、コピー開始までの待機時間を短くしたり、連続コピー枚数を増加させるなど、機器の性能限界を引き出すことができるので、ユーザの要求を満足させることができる。さらに、電源装置の電力供給部１からの入力電流定格情報ＳＩに加えて、機器の制御部４に手動によって設定するスイッチ３５を設けることにより、部品交換時の作業ミスや接触不良、断線等の不具合などを低減することができる。
【００３８】
【発明の効果】
以上、説明したように、この発明によれば、検知手段によって、装着される商用電源の供給部の定格種別を検知し、制御手段によって、検知された定格種別に応じて電力供給対象に対する電力量を制御するようにしたので、例えば、商用電源の供給部の１つであるインレットを指示する支持部材にコネクタを設け、該コネクタが電気的に短絡されているか否か、あるいはインレットの大きさの違いや、電気的に接地されたコネクタの有無で、定格種別を検知するようにすれば、簡易な構成で、電源定格を自動的に検出することができるとともに、機器の発熱源等の電力供給対象への電力供給量を制御することができるという利点が得られる。
【図面の簡単な説明】
【図１】  本発明の一実施形態による複写機の基本構成を示す回路図である。
【図２】  第１の実施例による電源定格検知部１ａの構成を示す正面図および側面図である。
【図３】  第２の実施例による電源装置１のユニットＵ１，Ｕ２の構成を示す回路図である。
【図４】  第２の実施例による電源装置１の構造を示す模式図である。
【図５】  第３の実施例による電源定格検知方法を説明するための正面図および側面図である。
【図６】  第４の実施例による電源定格検知方法を説明するための回路図である。
【図７】  第４の実施例による２０Ａ電源用のユニットＵ４の回路構成を示す回路図である。
【図８】  第４の実施例による２０Ａ電源用の電源装置１の構造を示す模式図である。
【図９】  電源定格検知方法およびその構成に確認用の手段を加えた、第５の実施例による制御部４の構成を示す回路図である。
【図１０】  本実施形態の動作を説明するためのフローチャートである。
【図１１】  複写機のランプの点灯本数を制御する一例を示す概念図である。
【図１２】  複写機のランプの点灯時間を制御する一例を示す概念図である。
【図１３】  本実施形態による制御で得られる効果を説明するための概念図である。
【符号の説明】
１  電力供給部
２  スイッチング素子
３  定着器
３ａ  ランプ（電力供給対象）
４  制御部（制御手段、検知手段）
１０  １５Ａ電源用のインレット（商用電源の供給部）
１１  ２０Ａ電源用のインレット（商用電源の供給部）
１２  コネクタ
２１  コネクタ
２３  ショート用コネクタ
２５  スイッチ
２８  コネクタ
２９  コネクタ
３５  スイッチ（設定手段）
【図１】
0003704923.tif 000002
【図２】
0003704923.tif 000003
【図３】
0003704923.tif 000004
【図４】
0003704923.tif 000005
【図５】
0003704923.tif 000006
【図６】
0003704923.tif 000007
【図７】
0003704923.tif 000008
【図８】
0003704923.tif 000009
【図９】
0003704923.tif 000010
【図１０】
0003704923.tif 000011
【図１１】
0003704923.tif 000012
【図１２】
0003704923.tif 000013
【図１３】
0003704923.tif 000014